(57)【要約】【課題】本発明が解決しようとする課題は、プロジェクトマネジメントを実施する上で、プロジェクトマネージャがプロジェクトの現状を正確に認識するための情報を提示することである。【解決手段】上記課題を解決するために、プロジェクトのリスクスコア，進捗率，作業のパフォーマンスなどのカテゴリの定量的な情報を、プロジェクトの進捗フェーズ毎に記録したプロジェクトパラメータデータベースと、上記プロジェクトパラメータデータベースに記録されている情報を入力情報として、プロジェクトの進捗フェーズ毎の各カテゴリの重要度を重要性の高いものから定義する重要度定義機能と、上記重要度定義機能で定義された情報を記録する重要度データベースと、上記重要度データベースに記録された重要度の値を軸としたグラフでプロジェクト全体、もしくは、プロジェクト進捗フェーズ毎に表示する重要度可視化機能を用いる。【選択図】  図１
2010211338.tif 000002
【特許請求の範囲】
【請求項１】
カテゴリの定量的な情報をプロジェクトの進捗フェーズ毎に記録したプロジェクトパラメータデータベースと、
前記プロジェクトパラメータデータベースに記録されている情報を入力情報として、上記プロジェクトの進捗フェーズ毎の各カテゴリの重要度を、重要性の高いものから定義する重要度定義機能と、
上記重要度定義機能で定義された情報を記録する重要度データベースを持ち、
重要度可視化機能により、上記重要度データベースに記録された重要度の値を軸としたグラフで、プロジェクト全体、もしくは、プロジェクト進捗フェーズ毎に表示することを特徴とするプロジェクト現状認識装置。
【請求項２】
請求項１のプロジェクト現状認識装置において、重要度の上位１つの値のプロジェクト進捗フェーズ毎の値の変化を折れ線グラフで表示することを特徴とするプロジェクト現状認識装置。
【請求項３】
請求項１のプロジェクト現状認識装置において、重要度の上位２つの値を用いることでプロジェクトの現状を２次元の散布図で表示することを特徴とするプロジェクト現状認識装置。
【請求項４】
請求項１のプロジェクト現状認識装置において、重要度の上位３つの値を用いることでプロジェクトの現状を３次元の散布図で表示することを特徴とするプロジェクト現状認識装置。
【請求項５】
請求項１乃至請求項４のいずれかのプロジェクト現状認識装置において、
カテゴリの定量的な情報は、プロジェクトのリスクスコア，進捗率，作業パフォーマンスのいずれかであることを特徴とするプロジェクト現状認識装置。
【発明の詳細な説明】
【技術分野】
【０００１】
本発明は、プロジェクトの現状を判断するために、プロジェクトの重要度を可視化することで、プロジェクトの現状を見える化する技術である。
【背景技術】
【０００２】
プロジェクトマネジメントを高度化するためには、プロジェクトの状況を正しく把握することが重要である。そのためには、プロジェクトの重要なパラメータを明確化する技術，明確化した重要なパラメータをプロジェクトマネージャにわかりやすく表示する技術が必要である。
【０００３】
プロジェクト現状認識に関する先行技術としては、プロジェクトのパラメータを直接可視化するものが中心である。例えば、特許文献１に記載されている「プロジェクト管理システム，プロジェクト管理方法，プログラム及び記憶媒体」は、プロジェクトで発生する可能性のあるリスクのスコアと、リスクが発生した場合のスコアを定量化し、その差を可視化することでプロジェクトの現状認識を支援している。
【先行技術文献】
【特許文献】
【０００４】
【特許文献１】特開２００６−２６０１１２号公報
【発明の概要】
【発明が解決しようとする課題】
【０００５】
本発明が解決しようとする課題は、プロジェクトマネジメントを実施する上で、プロジェクトマネージャがプロジェクトの現状を正確に認識するための情報を提示することである。
【０００６】
特許文献１に示された従来技術では、発生する可能性のあるリスクと発生した場合のリスクとを比較することで、発生確率が高まったリスクを可視化しているが、プロジェクトの現状をより正確に提示するためには、プロジェクトのより多種のパラメータを分析し、可視化の必要性の高い重要度を表示する必要がある。
【課題を解決するための手段】
【０００７】
上記課題を解決するために、プロジェクトのリスクスコア，進捗率，作業のパフォーマンスなどのカテゴリの定量的な情報を、プロジェクトの進捗フェーズ毎に記録したプロジェクトパラメータデータベースと、上記プロジェクトパラメータデータベースに記録されている情報を入力情報として、プロジェクトの進捗フェーズ毎の各カテゴリの重要度を重要性の高いものから定義する重要度定義機能と、上記重要度定義機能で定義された情報を記録する重要度データベースと、上記重要度データベースに記録された重要度の値を軸としたグラフでプロジェクト全体、もしくは、プロジェクト進捗フェーズ毎に表示する重要度可視化機能を用いる。
【０００８】
また、重要度の上位２つ、あるいは上位３つの値を用いることで、プロジェクトの現状を２次元、あるいは３次元の散布図で表示する手段，重要度の上位１つの値のプロジェクト進捗フェーズ毎の値の変化を折れ線グラフで表示する手段を用いる。
【発明の効果】
【０００９】
プロジェクトの現状を判断するために、プロジェクトの重要度を可視化することで、プロジェクトの現状を見える化することができる。
【図面の簡単な説明】
【００１０】
【図１】装置の機能ブロック図である。
【図２】プロジェクトのリスクスコア，進捗率，作業のパフォーマンスなどのカテゴリの定量的な情報を、プロジェクトの進捗フェーズ毎に記録したデータベースの内容を表す。
【図３】重要度定義機能で定義された情報を記録する重要度データベースの内容を表す。
【図４】重要度可視化機能において可視化するプロセスを表した図である。
【図５】重要度可視化機能において重要度の上位１つの値をプロジェクトの現状を棒グラフで表した図である。
【図６】重要度可視化機能において重要度の上位２つの値をプロジェクトの現状を散布図で表した図である。
【図７】重要度可視化機能において重要度の上位３つの値をプロジェクトの現状を散布図で表した図である。
【図８】重要度可視化機能において重要度の上位１つの値をプロジェクト進捗フェーズ毎の値の変化を折れ線グラフで表した図である。
【図９】重要度定義機能で重要度を分析・設定するためのプロセスを表した図である。
【発明を実施するための形態】
【００１１】
以下、本発明の実施の形態について図面を参照しながら説明する。初めに本発明に係わるプロジェクト現状認識装置の構成の例について説明する。なお、以下で説明する図面において、同一の符号は、同一の部品・要素を表すものとする。
【００１２】
図１は、プロジェクト現状認識装置の構成例を示す機能ブロック図である。プロジェクト現状認識装置として、プロジェクトのリスクスコア，進捗率，作業のパフォーマンスなどのカテゴリの情報を、プロジェクトの進捗フェーズ毎に記録したプロジェクトパラメータデータベース１０１と、上記プロジェクトパラメータデータベース１０１に記録されている情報を入力情報として、プロジェクトの進捗フェーズ毎の各カテゴリの重要度を重要性の高いものから最大で３つまで定義する重要度定義機能１０２と、上記重要度定義機能１０２で定義された情報を記録する重要度データベース１０３と、上記重要度データベース１０３に記録された最大で３つの重要度の値を最大で３つの軸としたグラフでプロジェクト全体、もしくは、プロジェクト進捗フェーズ毎に表示する重要度可視化機能１０４を備えている。
【００１３】
図２は、プロジェクトパラメータデータベース１０１のプロジェクトのリスクスコアを表すテーブル２００である。図２には、プロジェクト名２０１と進捗フェーズ名２０２とパラメータ２０３〜２１１が格納されている。プロジェクト名２０１とは、プロジェクト開発における名称であり、ＩＴプロジェクト開発や発電所プロジェクト開発の名称に当てはまる。また、進捗フェーズ名２０２とは、ＩＴプロジェクト開発においては、計画フェーズ・設計フェーズ・テストフェーズなどの名称が当てはまる。パラメータ２０３〜２１１とは、それぞれのプロジェクトを評価するために、プロジェクトの構成要素をスコア化して、プロジェクトの特性を表した指標である。
【００１４】
次にこれらのデータを入力情報として、重要度を抽出する方法について述べる。重要度を抽出する方法の一例として、主成分分析を利用する方法がある。ここでは、主成分分析を利用して重要度を抽出するが、その他の方法を利用して抽出することも可能である。また、出力された重要度を手動で変更することも可能である。主成分分析とは多くの変数をできるだけ情報の損失なしに、１個または少数個の総合的指標、つまり主成分で代表させる方法である。主成分分析の結果、固有ベクトルの値が出力される。固有ベクトルとは、主成分の構成要素であり、主成分の向き／構成からなるパラメータである。すなわち、固有ベクトルを進捗フェーズ毎に分析することで、進捗フェーズ毎でプロジェクト開発に重要なパラメータを明確化できる。そのため、主成分分析によって算出された固有ベクトルの各パラメータの成分を重要度と定義する。本発明では特徴がもっとも強い順から、重要度１（本実施例では〔図３〕中の符号３０３）・重要度２（本実施例では〔図３〕中の符号３０４）・重要度３（本実施例では〔図３〕中の符号３０５）とする。
【００１５】
図１の重要度データベース１０３の内容を図３の３００で表す。図３の３００では、進捗フェーズ名３０１・パラメータ名３０２・重要度３０３〜３０５が格納されている。
【００１６】
次に、重要度を利用して、可視化する方法について述べる。重要度データベース１０３で管理される重要度を入力情報として、図１の重要度可視化機能１０４で可視化するプロセスについて図４に述べる。図４では、まずは重要度を選択する４０１。その時に、重要度の上位１つの値のみを利用４０２する場合と、重要度の上位２つの値を利用４０３する場合と、重要度の上位３つの値を利用４０４する場合に分類する。さらに、重要度の上位１つの値のみを利用４０２する場合において、パラメータ毎に可視化４０５する場合と進捗フェーズ毎に可視化４０６する場合とに分類する。最終的にパラメータ毎に可視化４０５が選択された場合は進捗フェーズ毎の変化を表した折れ線グラフ４０７，進捗フェーズ毎に可視化４０６が選択された場合はプロジェクトの現状を表した１次元の棒グラフ４０８，重要度の上位２つの値を利用４０３が選択された場合はプロジェクトの現状を表した２次元の散布図４０９，重要度の上位３つの値を利用４０４が選択された場合はプロジェクトの現状を表した３次元の散布図４１０、を表す。
【００１７】
次にそれぞれの可視化について説明する。図５では、重要度の上位１つの値を用いることでプロジェクトの現状を１次元の棒グラフで表示する。Ａフェーズ５０１においては、パラメータ毎５０２〜５１０に重要度の値を棒グラフで可視化する。また、Ｂフェーズ５１１・Ｚフェーズ５１２も同様に、各パラメータに対応する重要度を可視化する。その結果、棒グラフの値が大きいほど、プロジェクトに対する重要度の影響度合いが大きくなる。つまり、進捗フェーズ毎にどのパラメータが重要であるかを判断し、プロジェクトの現状を見える化することができる。
【００１８】
図６では、重要度の上位２つの値を用いることでプロジェクトの現状を２次元の散布図で表示する。Ａフェーズ６０１において、各パラメータ６０２〜６１０に対応する重要度を散布図で可視化する。図のＸ軸に重要度１（本実施例では〔図３〕中の符号３０３），Ｙ軸に重要度２（本実施例では〔図３〕中の符号３０４）を定義する。Ａフェーズ６０１だけでなく、Ｂフェーズ６１１・Ｚフェーズ６１２など複数の進捗フェーズ毎に重要度の値をマッピングする。図５と同様に、重要度の値が大きいほど、つまり図の右上に位置するほどプロジェクトに対する重要度の影響度合いが大きくなる。
【００１９】
図７では、重要度の上位３つの値を用いることでプロジェクトの現状を３次元の散布図で表示する。Ａフェーズ７０１において、パラメータ毎７０２〜７１０に重要度を散布図で可視化する。図のＸ軸に重要度１（本実施例では〔図３〕中の符号３０３），Ｙ軸に重要度２（本実施例では〔図３〕中の符号３０４），Ｚ軸に重要度３（本実施例では〔図３〕中の符号３０５）を示す。Ａフェーズ７０１だけでなく、Ｂフェーズ７１１・Ｚフェーズ７１２など複数の進捗フェーズ毎に重要度の値をマッピングする。図５と同様に、重要度の値が大きいほど、プロジェクトに対する重要度の影響度合いが大きくなる。つまり、進捗フェーズ毎にどのパラメータが重要であるかを判断し、プロジェクトの現状を見える化することができる。
【００２０】
図８では、重要度の上位１つの値のプロジェクト進捗フェーズ毎の値の変化を折れ線グラフで表示する。Ａパラメータ８０１において、フェーズ毎８０２〜８０９の重要度の値を折れ線グラフで可視化する。図のＸ軸にフェーズ８０２〜８０９，Ｙ軸に重要度１（本実施例では〔図３〕中の符号３０３）の値を座標にマッピングする。時系列に重要度の値をマッピングすることで、進捗フェーズ毎での重要度の変動を見ることができる。例えば、Ａパラメータ８０１において、Ｄフェーズ８０５では重要度の値が小さいが、Ｆフェーズ８０７では重要度の値が大きくなっている。この差が明確になることで、進捗フェーズ毎の特徴の違いが明確になり、プロジェクトの現状を把握することができる。
【００２１】
図９に、図１の重要度定義機能１０２の処理プロセスを示す。まずはリスクパラメータを入力する９０１。リスクパラメータを入力情報として、自動分析するか手動設定するか９０２を決定し、その後重要度を出力する。まず自動分析を実施する場合、分析手法を選択し９０３、その分析結果よりどの値を重要度と定義するかを決める９０５。手動設定を実施する場合、入力フォームなどを用いて重要度を手動で設定する９０４。両方法を用いて、重要度を出力する９０６。
【００２２】
以上説明した本発明に係る実施の形態によると、プロジェクト開発を対象に、プロジェクトパラメータをインプットとして、プロジェクトの進捗フェーズ毎の各カテゴリの重要度を抽出し、プロジェクト開発に影響を及ぼす重要度を分析し、可視化することができる。
【符号の説明】
【００２３】
１０１  プロジェクトパラメータデータベース
１０２  重要度定義機能
１０３  重要度データベース
１０４  重要度可視化機能
【図１】
2010211338.tif 000003
【図２】
2010211338.tif 000004
【図３】
2010211338.tif 000005
【図４】
2010211338.tif 000006
【図５】
2010211338.tif 000007
【図６】
2010211338.tif 000008
【図７】
2010211338.tif 000009
【図８】
2010211338.tif 000010
【図９】
2010211338.tif 000011